(57)【要約】【課題】  門扉の打ち掛け錠を扉の閉成によって自動施錠できるようにする。【解決手段】  回動操作によって両開き一方の扉１の錠掛け側アーム３１及びこれに同軸のハンドル３３を、ロック装置６によって復帰方向付勢状態で拘束し、該扉１を閉成した際、該一方の扉１見付面の端部から両開き他方の扉２側に突出配置し且つこの他方の扉２側に向けて付勢したトリガー７を他方の扉２に対接して上記拘束を解除するようにし、拘束の解除によってアーム３１、ハンドル３３を付勢復帰させ、アーム３１を他方の扉２のアーム受３５に係合して、打ち掛け錠３の自動施錠を行う。拘束の解除は、アーム３１に設置したクラッチ６１とロックプレート６４の係合を、トリガー７の対接によってロックプレート６４を移動することによって行う。【選択図】  図６
2012067440.tif 000002
【特許請求の範囲】
【請求項１】
回動操作によって復帰方向付勢自在に両開き一方の扉に同時回動自在に連結して配置した錠掛け側アーム及びハンドルと、該錠掛け側アームの自由端を係合自在に両開き他方の扉に配置した錠受け側アーム受と、上記錠掛け側アーム又はハンドルの回動操作によってこれらを復帰方向付勢状態で拘束し且つこれらを付勢復帰するように該拘束を解除するロック機構と、上記両開き一方の扉にその戸先端から両開き他方の扉側に突出配置し該両開き他方の扉の見付面に対する離接動作によって上記ロック機構を作動するトリガーを備えてなることを特徴とする自動施錠の打ち掛け錠を有する門扉。
【請求項２】
上記トリガーを、上記両開き他方の扉側に付勢することによって該トリガーの上記両開き他方の扉に対する離接動作を弾発的としてなることを特徴とする請求項１に記載の自動施錠の打ち掛け錠を有する門扉。
【請求項３】
上記ロック機構を、上記錠掛け側アーム又はハンドルの同軸上に配置したクラッチと、上記トリガーの離接動作によって該クラッチに係脱自在としたロックプレートを備えて形成してなることを特徴とする請求項１、２又は３に記載の自動施錠の打ち掛け錠を有する門扉。
【請求項４】
上記両開き一方の扉にトリガーボックスを固定し、該トリガーボックスに、その対向する内壁にトリガー軸を回動自在に架設して上記トリガーを収容するとともに該トリガーの離接動作に応じて該トリガーの回動によって上記クラッチに係脱するようにスライド移動する上記ロックプレートを収容し且つ該ロックプレートをクラッチ側に向けて付勢することによって該ロックプレートのクラッチ係合時にトリガーをトリガーボックスから突出させ、クラッチ離脱時にトリガーをトリガーボックスに没入するようにロックプレートを介してトリガーを付勢するトリガースプリングを収容してなることを特徴とする請求項３に記載の自動施錠の打ち掛け錠を有する門扉。
【請求項５】
上記錠掛け側アーム及びハンドルの復帰方向付勢を、該アーム又はハンドルの背面側に配置した回動軸と両開き一方の扉に配置した該回動軸の軸受との間に付勢用スプリングを介設することによって行ってなることを特徴とする請求項１、２、３又は４に記載の自動施錠の打ち掛け錠を有する門扉。
【請求項６】
上記錠受け側アーム又はハンドルの軸受を、上記トリガーボックスと一体又は一体的なブロック体として形成してなることを特徴とする請求項５に記載の自動施錠の打ち掛け錠を有する門扉。
【請求項７】
上記錠掛け側アーム及びハンドルの軸受を、その左右の反転状態でこれら錠掛け側アーム及びハンドルを逆方向回動自在に設置可能とし、該軸受を用いて打ち掛け錠を組立て形成することによって左右勝手を自在としてなることを特徴とする請求項５又は６に記載の自動施錠の打ち掛け錠を有する門扉。
【請求項８】
上記両開き一方の扉に代えて片開き扉を、上記両開き他方の扉に代えて上記片開き扉戸先側の支柱を用いてなることを特徴とする請求項１、２、３、４、５又は６に記載の自動施錠の打ち掛け錠を有する門扉。
【発明の詳細な説明】
【技術分野】
【０００１】
本発明は、門扉に関し、扉の閉鎖による自動的な施錠を自在とした自動施錠の打ち掛け錠を有する門扉に関する。
【背景技術】
【０００２】
自動施錠の打ち掛け錠を有する門扉として、下記特許文献１として、両開き一方の扉配置の錠掛け側アーム及びハンドルと、該錠掛け側アームの面取りした自由端を係合自在とし且つ外側を傾斜面とした両開き他方扉配置の錠受け側アーム受とを備え、両開き一方の扉の閉鎖回動により、フリー状態の錠掛け側アームの面取りした自由端をアーム受の外側の傾斜面に上方に向けて摺動した後に、該傾斜面を超えてアーム受に落ち込むように案内して、その係合を行うようにしたものが知られている。
【先行技術文献】
【特許文献】
【０００３】
【特許文献１】特開２０００−１１０４７２号公報
【発明の概要】
【発明が解決しようとする課題】
【０００４】
この場合、扉の閉鎖回動の動作によって錠掛け側アームを錠受け側アーム受に案内して、該アーム受に対する係合を可能として、扉の閉鎖動作による自動施錠を可能とし、更に、例えば、扉にオートクローザーを取り付けた場合に、該オートクローザーによる扉の閉鎖動作による自動施錠を可能とし得るが、錠掛け側アームが傾斜面を摺動すること、このとき、該アームが外側に向けた外力を受けることから、作動不良やトラブルを招く可能性があり、また、一般に打ち掛け錠は、回動操作による復帰方向付勢のロックと、ロック解除による付勢復帰を行うものとして構成されるから、上記アームの傾斜面摺動時の付勢によって、上記フリーの状態を前提とするアームの係合に適したものとなし得るか否か、この点に問題を生じる可能性もある。
【０００５】
本発明はかかる事情に鑑みてなされたもので、その解決課題とするところは、可及的簡易な構造にして長期に亘って作動の確実性及び安定性を確保して、扉の閉鎖による自動施錠を行うようにした自動施錠の打ち掛け錠を有する門扉を提供するにある。
【課題を解決するための手段】
【０００６】
上記課題に沿って本発明は、門扉の出入に際して、両開き一方の扉に配置した錠掛け側アーム又はハンドルを回動操作することによってこれらを復帰方向に付勢した状態で保持するように拘束し、出入り後に扉を閉めて、両開き一方の扉に他方の扉側に突出して配置したトリガーを該他方の扉の見付面に対接することによって拘束を解除して、これらの付勢復帰により錠掛け側アームの自由端をアーム受に係合するようにして、打ち掛け錠の自動施錠を行うようにしたものであって、即ち、請求項１に記載の発明を、回動操作によって復帰方向付勢自在に両開き一方の扉に同時回動自在に連結して配置した錠掛け側アーム及びハンドルと、該錠掛け側アームの自由端を係合自在に両開き他方の扉に配置した錠受け側アーム受と、上記錠掛け側アーム又はハンドルの回動操作によってこれらを復帰方向付勢状態で拘束し且つこれらを付勢復帰するように該拘束を解除するロック機構と、上記両開き一方の扉にその戸先端から両開き他方の扉側に突出配置し該両開き他方の扉の見付面に対する離接動作によって上記ロック機構を作動するトリガーを備えてなることを特徴とする自動施錠の打ち掛け錠を有する門扉としたものである。
【０００７】
請求項２に記載の発明は、上記に加えて、上記トリガーの離接動作とこれによるロック機構の作動を常に確実になし得るものとするように、これを、上記トリガーを、上記両開き他方の扉側に付勢することによって該トリガーの上記両開き他方の扉に対する離接動作を弾発的としてなることを特徴とする請求項１に記載の自動施錠の打ち掛け錠を有する門扉としたものである。
【０００８】
請求項３に記載の発明は、同じく上記に加えて、上記ロック機構を可及的簡易にして確実な作動をなし得るものとするように、これを、上記ロック機構を、上記錠掛け側アーム又はハンドルの同軸上に配置したクラッチと、上記トリガーの離接動作によって該クラッチに係脱自在としたロックプレートを備えて形成してなることを特徴とする請求項１、２又は３に記載の自動施錠の打ち掛け錠を有する門扉としたものである。
【０００９】
請求項４に記載の発明は、同じく上記に加えて、上記トリガーやロック機構の露出を防止して、外観良好にして屋外環境に曝されることによるトラブルを防止したものとするように、これを、上記両開き一方の扉にトリガーボックスを固定し、該トリガーボックスに、その対向する内壁にトリガー軸を回動自在に架設して上記トリガーを収容するとともに該トリガーの離接動作に応じて該トリガーの回動によって上記クラッチに係脱するようにスライド移動する上記ロックプレートを収容し且つ該ロックプレートをクラッチ側に向けて付勢することによって該ロックプレートのクラッチ係合時にトリガーをトリガーボックスから突出させ、クラッチ離脱時にトリガーをトリガーボックスに没入するようにロックプレートを介してトリガーを付勢するトリガースプリングを収容してなることを特徴とする請求項３に記載の自動施錠の打ち掛け錠を有する門扉としたものである。
【００１０】
請求項５に記載の発明は、同じく上記に加えて、上記錠掛け側アーム及びハンドルの復帰方向付勢を可及的簡易且つ確実になし得るものとするように、これを、
上記錠掛け側アーム及びハンドルの復帰方向付勢を、該アーム又はハンドルの背面側に配置した回動軸と両開き一方の扉に配置した該回動軸の軸受との間に付勢用スプリングを介設することによって行ってなることを特徴とする請求項１、２、３又は４に記載の自動施錠の打ち掛け錠を有する門扉としたものである。
【００１１】
請求項６に記載の発明は、同じく上記に加えて、新設又は既存門扉に対する後付設置に際して、打ち掛け錠の設置を可及的容易になし得るものとするように、これを、上記錠受け側アーム又はハンドルの軸受を、上記トリガーボックスと一体又は一体的なブロック体として形成してなることを特徴とする請求項５に記載の自動施錠の打ち掛け錠を有する門扉としたものである。
【００１２】
請求項７に記載の発明は、同じく上記に加えて、上記両開き一方の扉の錠掛け側アーム及びハンドルを軸受を用いて設置するとともに該軸受を左右勝手用に左右反転状態でこれらを設置可能とすることによって、両開き門扉に対して左右勝手自在の設置をなし得るものとするように、これを、上記錠掛け側アーム及びハンドルの軸受を、その左右の反転状態でこれら錠掛け側アーム及びハンドルを逆方向回動自在に設置可能とし、該軸受を用いて打ち掛け錠を組立て形成することによって左右勝手を自在としてなることを特徴とする請求項５又は６に記載の自動施錠の打ち掛け錠を有する門扉としたものである。
【００１３】
請求項８に記載の発明は、同じく上記に加えて、上記両開き一方及び他方の扉を備えたものに代えて、片開きの扉を備えた門扉の自動施錠を可能とするように、これを、上記両開き一方の扉に代えて片開き扉を、上記両開き他方の扉に代えて上記片開き扉戸先側の支柱を用いてなることを特徴とする請求項１、２、３、４、５又は６に記載の自動施錠の打ち掛け錠を有する門扉としたものである。
【００１４】
本発明はこれらをそれぞれ発明の要旨として上記課題解決の手段としたものである。
【発明の効果】
【００１５】
本発明は以上のとおりに構成したから、請求項１に記載の発明は、門扉の出入に際して、両開き一方の扉に配置した錠掛け側アーム又はハンドルを回動操作することによってこれらを復帰方向に付勢した状態で保持するように拘束し、出入り後に扉を閉めて、両開き一方の扉に他方の扉側に突出して配置したトリガーを該他方の扉の見付面に対接することによって拘束を解除して、これらの付勢復帰により錠掛け側アームの自由端をアーム受に係合するようにして、打ち掛け錠の自動施錠を行うようにして、可及的簡易な構造にして長期に亘って作動の確実性及び安定性を確保して、扉の閉鎖による自動施錠を行うようにした自動施錠の打ち掛け錠を有する門扉を提供することができる。
【００１６】
請求項２に記載の発明は、上記に加えて、上記トリガーの離接動作とこれによるロック機構の作動を常に確実になし得るものとすることができる。
【００１７】
請求項３に記載の発明は、同じく上記に加えて、上記ロック機構を可及的簡易にして確実な作動を行うものとすることができる。
【００１８】
請求項４に記載の発明は、同じく上記に加えて、上記トリガーやロック機構の露出を防止して、外観良好にして屋外環境に曝されることによるトラブルを防止したものとすることができる。
【００１９】
請求項５に記載の発明は、同じく上記に加えて、上記錠掛け側アーム及びハンドルの復帰方向付勢を可及的簡易且つ確実に行うものとすることができる。
【００２０】
請求項６に記載の発明は、同じく上記に加えて、新設又は既存門扉に対する後付設置に際して、打ち掛け錠の設置を可及的容易になし得るものとすることができる。
【００２１】
請求項７に記載の発明は、同じく上記に加えて、上記両開き一方の扉の錠掛け側アーム及びハンドルを軸受を用いて設置するとともに該軸受を左右勝手用に左右反転状態でこれらを設置可能とすることによって、両開き門扉に対して左右勝手自在の設置をなし得るものとすることができる。
【００２２】
請求項８に記載の発明は、同じく上記に加えて、上記両開き一方及び他方の扉を備えたものに代えて、片開きの扉を備えた門扉の自動施錠を可能とすることができる。
【図面の簡単な説明】
【００２３】
【図１】両開き門扉の打ち掛け錠配置状態の平面略図である。
【図２】両開き門扉の部分正面図である。
【図３】両開き門扉の部分背面図である。
【図４】ロック機構の扉を開いた状態を示す横断面図である。
【図５】ロック機構の扉を閉鎖した状態を示す横断面図である。
【図６】台座を省略したアームとトリガーの関係を示す分解斜視図である。
【図７】両開き門扉の打ち掛け錠の他の例の配置状態を示す平面略図である。
【発明を実施するための形態】
【００２４】
以下図面の例に従って本発明を更に具体的に説明すれば、図１乃至図６において１及び２は、両開き門扉Ａの一方及び他方の扉であり、該両開き門扉Ａは、自動施錠の打ち掛け錠３を備えたものとしてあり、該打ち掛け錠３は、回動操作によって復帰方向付勢自在に両開き一方の扉１に同時回動自在に連結して配置した錠掛け側アーム３１及びハンドル３３と、該錠掛け側アーム３１の自由端を係合自在に両開き他方の扉２に配置した錠受け側アーム受３５と、上記錠掛け側アーム３１又はハンドル３３の回動操作によってこれらを復帰方向付勢状態で拘束し且つこれらを付勢復帰するように該拘束を解除するロック機構６と、上記両開き一方の扉１にその戸先端から両開き他方の扉２側に突出配置し該両開き他方の扉２の見付面に対する離接動作によって上記ロック機構６を作動するトリガー７を備えたものとしてある。
【００２５】
本例にあって両開き門扉Ａは、その一方及び他方の扉１、２を、図示省略の左右の支柱にヒンジによって吊支持して、内開き又は外開き、本例にあっては内開きの開閉を行うように構成してあり、このとき、一方の扉１の面内の戸先側の端部、アルミ押出材を用いて構成した本例の扉にあっては縦框の敷地内側の見付面に錠掛け側アーム３１を、道路側の見付面にハンドル３３を、それぞれこれらの背面側に配置した、例えば断面方形の回動軸３２を連結軸３４によって連結して、該アーム３１又はハンドル３３を１／４円以下、例えば１／８円回動することによって、双方を連動するように該アーム３１又はハンドル３３の同軸の回動操作を行うものとしてある。
【００２６】
また、他方の扉２の面内の戸先側の端部、本例にあっては同じく縦框の、上記アーム３１を設置した面と同じ敷地側の見付面に、断面Ｃ字状の受溝を有する錠受け側アーム受３５を配置してあり、本例にあって該他方の縦框の道路側の見付面には、上記一方の扉１のハンドル３３と対をなすように回動不能とした固定ハンドル３６を配置してある。
【００２７】
上記ハンドル３３、３６はレバーハンドルを用い、上記アーム３１は、長手方向片側に該レバーハンドルに合せた同形状のハンドル部を一体に突出するように備えるとともに自由端の先端にＬ字状をなすように敷地側に突出した抜止め突起を備えたものとしてあり、これによって該アーム３１は上記ハンドル３３、３６の略２倍程度の長さを有する長寸バー状のものとしてある。
【００２８】
両開き一方の扉１における上記アーム３１及びハンドル３３は、それぞれ台座３７を介して上記縦框に対するその配置を行ってあり、該台座３７のアーム３１及びハンドル３３の下位には、ハンドル３３側にシリンダー錠３８を、アーム３１側に該シリンダー錠３８を敷地側で開錠するサムターン３９を配置してある。両開き他方の扉２における固定ハンドル３６は、同様な台座３７に対して回動不能に固定して配置し、アーム受３５は、上記アーム３１の台座３７と同様な台座３７に敷地内に向けて突出するように上向きに開口した上記受溝を一体に配置したものとしてある。
【００２９】
該錠掛け側アーム３１及びハンドル３３の復帰方向付勢は、これを、該アーム３１又はハンドル３３の背面側に配置した回動軸３２と両開き一方の扉１に配置した該回動軸３２の軸受４との間にアーム付勢用のスプリングを介設することによって行ってあり、本例にあって、該スプリングは、これを、両端に起立部を有し、該起立部を外側に突出してスプリングケース４３に収容したコイルスプリングによるものとし、該コイルスプリングを収容したスプリングケース４３を、本例にあって錠掛け側アーム３１の背面側突出の回動軸３２に固定するとともに上記両開き一方の扉１に配置した軸受４の円形収容部４１に収容し、上記コイルスプリングの起立部を該軸受４の内壁に配置した半円の径大部４２に配置することによって、上記アーム３１又はハンドル３３の回動操作に連動した付勢力蓄積を自在としてある。
【００３０】
即ち、コイルスプリングを収容したスプリングケース４３は、ドーナツ状にして円周方向に半円のスリットを配置したスプリング収容部４４と、その背面側に配置して、上記アーム３１の回動軸３２に合せて断面方形にして内側に回動軸３２を受入自在とした連結突部４５を備えて形成し、上記スリットにコイルスプリングの起立部を配置して該コイルスプリングをスプリング収容部４４に収容してある。
【００３１】
回動軸３２の軸受４は、上記台座３７の上下中間位置に埋込状に嵌合固定して配置してあり、スプリングケース４３を収容し、本例にあって上記錠掛け側アーム３１の回動軸３２を該スプリングケース４３の連結突部４５に嵌合状に挿入して該回動軸３２を受入れることによって、該アーム３１又はハンドル３３を回動操作して、上記スプリングケース４３から突出した一方の起立部を、上記半円の径大部４２を画する一対のうちの片側一方の端壁に保持した状態で該スプリングケース４３を回動し、そのコイルスプリングに付勢力を蓄積して、アーム３１及びハンドル３３を復帰方向、即ち、アーム３１の自由端がアーム受３５に係合して打ち掛け錠３を施錠状態とする方向に付勢するものとしてある。
【００３２】
復帰方向に付勢した錠掛け側アーム３１及びこれと同軸回動するハンドル３３は、ロック機構６によってこれを拘束し且つその拘束を解除するようにしてあり、該ロック機構６は、これを、上記錠掛け側アーム３１又はハンドル３３の同軸上に配置したクラッチ６１と、上記トリガー７の離接動作によって該クラッチ６１に係脱自在としたロックプレート６４を備えて形成してある。このときトリガー７は、これを、上記両開き他方の扉２側に付勢することによって該トリガー７の上記両開き他方の扉２に対する離接動作を弾発的としてあり、これにより該トリガー７の離接動作、特に対接動作を確実化して、ロック機構６の確実な作動を行うようにしてある。
【００３３】
クラッチ６１は、中央にアーム３１の回動軸３２に合せた方形の透孔を配置し、外周に切欠き形成した凹部による噛合部６２を配置したクラッチ板によるものとしてあり、該クラッチ６１は、上記軸受４の背面に、上記スプリングケース４３に配置した連結突部４５を方形の透孔に受入れて、上記アーム３１又はハンドル３３の回動操作によるスプリングケース４３の回動に伴って連動して回動するように配置してあり、該噛合部６２にロックプレート６４を係合することによって該クラッチ６１を回動状態に保持して、アーム３１の復帰方向付勢の状態で該アーム３１を拘束するようにしてある。
【００３４】
該アーム３１及びハンドル３３を拘束しその解除を行う上記ロックプレート６４は、トリガー７とともにトリガーボックス５に収容して、両開き一方の扉１に固定してあり、本例にあって該トリガーボックス５は、上記アーム３１又はハンドル３３、本例にあってはアーム３１の回動軸３２の軸受４と一体又は一体的なブロック体、本例にあっては、例えばアルミ鋳物によって一体のブロック体として形成して、上記台座３７の上下中間位置に形成した受部に嵌め込み状に配置した軸受４から、該両開き一方の扉１の戸先側にあって該戸先端から両開き他方の扉２側に部分的に突出するようにその配置を行ってある。
【００３５】
このとき本例の上記ブロック体として形成した本例におけるトリガーボックス５と一体又は一体的の軸受４は、これを、上記錠掛け側アーム３１及びハンドル３３の軸受４を、その左右の反転状態でこれら錠掛け側アーム３１及びハンドル３３を逆方向回動自在に設置可能とし、該軸受４を用いて打ち掛け錠３を組立て形成することによって左右勝手を自在としたものとしてある。
【００３６】
即ち、本例にあって該ブロック体における軸受４は、上記回動軸３２を受入れたスプリングケース４３を収容する円形収容部４１、該スプリングケース４３の起立部を保持する一対の端壁を有する半円の径大部４２を備え且つ連結軸３４を挿通する挿通孔を備えるところ、これら円形収容部４１、径大部４２及びその端壁を、軸受４の設置状態で左右対称に配置するように該軸受４の形状を設定してあり、これにより軸受４を両開き扉Ａの双方の扉に反転して設置することによって上記錠掛け側アーム３１及びハンドル３３を左右逆方向に回動して、その片側の扉に設置した錠受け側アーム受３５側に係合し得るようにしてある。このとき、本例の軸受４は、台座３７によって被覆した状態で該台座３７からのネジ固定を行うものとしてあるから、該ネジ固定のためのネジ孔、例えば一対のネジ孔も左右対称に配置し且つ台座３７との納まりのための形状も同様にしてある。従って、該軸受４を用いることによって、上記両開き扉Ａの任意の扉を、上記錠掛け側アーム３１及びハンドル３３を配置した両開き一方の扉１とし、これと両開き扉Ａを構成する扉を、上記錠受け側アーム受３５を配置した両開き他方の扉２とすることができ、このとき錠受け側アーム受３５は、断面Ｃ字状の受溝を有する左右勝手自在のものであるから、該軸受４を用いることによって左右勝手用に２種類を用意することなく、現場の勝手に応じて打ち掛け錠３を組立形成して、その左右勝手自在の設置を行うことが可能になる。
【００３７】
上記軸受と一体のブロック体としたトリガーボックス５は、その対向する内壁にトリガー軸７３を回動自在に架設して上記トリガー７を収容するとともに該トリガー７の離接動作に応じた該トリガー７の回動によって上記クラッチ６１に係脱するようにスライド移動する上記ロックプレート６４を収容し且つ該ロックプレート６４をクラッチ６１側に向けて付勢することによって該ロックプレート６４のクラッチ６１係合時にトリガー７をトリガーボックス５から突出させ、クラッチ６１離脱時にトリガー７をトリガーボックス５に没入するように、ロックプレート６４を介してトリガー７を付勢するトリガースプリング７４を収容したものとしてある。
【００３８】
トリガー７は、その長手方向一端を両開き他方の扉２に対する対接部７１とし、長手方向他端を、該トリガー７の回動をロックプレート６４に伝達するカム機能を有するロックプレート作動部７２とした湾曲へ字状を呈するブロック状のものとしてあり、長手方向他端のロックプレート作動部７２側に変位した位置にトリガー軸７３を備えたものとしてあり、該トリガー軸７３をトリガーボックス５に配置した図示省略の軸受に支持して、その回動自在の軸支を行ってあり、トリガーボックス５を上記両開き一方の扉１にその戸先端から部分的に突出するように配置することによって、トリガー７を該両開き一方の扉１から両開き他方の扉２側に突出して、該両開き他方の扉２に対する離接を行うようにしてある。
【００３９】
ロックプレート６４は、これを、基板６５と、該基板６５の片側一方に折曲配置した一対の折曲片６６と、基板６５に形成した透孔内に切起し配置した傾斜係合片６７と、基板６６の片側他方に該基板６６と段部を介して突出し、先端に上記クラッチ６１に合せた円弧凹部とその中央に爪状に突出した噛合部６９を形成した舌片部６８を備えて形成したものとしてある。
【００４０】
トリガースプリング７４は、トリガーボックス５の天壁とロックプレート６４の各折曲片６６間に一対配置して該ロックプレート６４を軸受４側、本例にあっては錠掛け側アーム３１のクラッチ６１に向けて付勢するものとしてあり、このとき該トリガースプリング７４は、トリガー７、ロックプレート６４装着後にトリガーボックス５を閉鎖するトリガーカバー５１にガイド５２を設けて該ガイド５２によってその脱落を防止するようにしてある。このとき、該トリガースプリング７４は、一次的にロックプレート６４を付勢するところ、ロックプレート６４を介してトリガー７を二次的に付勢することによって、本例にあって該トリガー７は、これを、上記両開き他方の扉２側に付勢するようにしてある。
【００４１】
図中４６は、軸受４のスプリング収容部４４にスプリングケース４３を回動自在に設置するに用いた座金、６３はクラッチ６１を錠掛け側アーム３１の回動軸３２に固定するに用いた止め輪を示す。
【００４２】
このように構成した本例の両開き門扉Ａは、錠掛け側アーム３１又はハンドル３３を１／４円以下、例えば１／８円回動操作して打ち掛け錠３を開錠して、両開き一方の扉１を開成すると、該回動操作によって回動軸３２が回動して、上記スプリングケース４３のコイルスプリングに付勢力を蓄積するとともに該回動軸３２の回動に伴ってクラッチ６１を該回動方向に同時に回動し、その凹部の噛合部６２をロックプレート６４側に向くように配置することによって、錠掛け側アーム３１及びハンドル３３を復帰方向付勢した状態とする。このとき同時に両開き他方の扉２からトリガー７の対接部７１を離隔して、上記トリガースプリング７４によって付勢したトリガー７を回動し、該トリガー７の対接部７１をトリガーボックス５から突出する一方、該トリガー７の回動に伴って、そのロックプレート作動部７２を回動し、そのロックプレート６４の傾斜係合部６７への係合を解除し、トリガースプリング７４に付勢力を蓄積しつつロックプレート６４を上記アーム３１の回動軸３２側に移動し、その爪状の噛合部６９を上記ロックプレート６４側に向いたクラッチ６１の凹部の噛合部６２に噛合し、該ロックプレート６４とクラッチ６１を係合する。これによって、錠受け側アーム３１はコイルスプリングの復帰方向付勢状態で、ロックプレート６４に拘束されて、１／８円回動操作した、例えば４５°の角度で内開きを可能とする状態に保持されるに至る。
【００４３】
一方、扉を閉成して、両開き一方の扉１の上記トリガーボックス５から両開き他方の扉２側に突出したトリガー７の対接部７１を両開き他方の扉２の見付面に対接することによって、該対接部７１をトリガーボックス５内に没入するように回動し、その結果、該トリガー７のロックプレート作動部７２をロックプレート６４の上記傾斜係合部６７に係合して、該傾斜係合部６７をトリガースプリング７４の付勢力に抗して押圧する結果、該ロックプレート６４をトリガースプリング７４側、即ち、アーム３１の回動軸３２から離隔する方向に向けてスライドするように移動し、トリガースプリング７４に付勢力を蓄積して圧縮し且つロックプレート６４の爪状の噛合部６９をクラッチ６１の凹部による噛合部６２から離脱して、該ロックプレート６４とクラッチ６１の係合を解除し、錠掛け側アーム３１とハンドル３３の拘束を解除する。これによって、錠掛け側アーム３１及びこれと同軸のハンドル３３を、上記コイルスプリングの付勢力によって付勢復帰し、該アーム３１を回動操作と逆方向に回動して、その自由端の抜止め突起を錠受け側アーム受３５の上向き開口の受溝に係合する結果、打ち掛け錠３の自動施錠を行うに至る。
【００４４】
このように用いる本例の打ち掛け錠３は、これを、上記内開き開閉を行う両開き門扉Ａに設置したことによって、両開き一方の扉１の開閉は、錠掛け側アーム３１と錠受け側アーム受３５の係合を解除すれば、両開き一方の扉１を内側、即ち敷地側に開成することができるから、該錠掛け側アーム３１又はハンドル３３の回動操作は、該アーム３１の自由端をアーム受３５から脱出するに必要な角度とすればよく、１／４円程度の角度とすることを妨げないが、該角度は１／８円程度、即ち、４５度程度に設定することが可能となり、このようにすることによって開成に際しての回動操作を容易化して、使い勝手を良好なものとすることができる。
【００４５】
図７は、他の例に係る両開き門扉Ａ、即ち、外開きの開閉を行うように構成した両開き門扉に上記打ち掛け錠３を配置した例である。この場合、トリガー７、本例にあっては該トリガー７とこれによって作動するロック機構６を、ハンドル３３を配置した縦框の道路側で同様に該ハンドル３３の回動軸を拘束し且つその拘束を解除するように、トリガーボックス５及び回動軸の軸受４を道路側の縦框の見付面に配置し且つ上記錠掛け側アーム３１に設置したスプリングケース４３、クラッチ６１等を該ハンドル３３の回動軸に設置するようにしてある。この場合、錠掛け側アーム３１は、これを敷地側に設置することになるところ、両開き一方の扉１を開成するには、該アーム３１を両開き他方の扉２に衝接しないように両開き一方の扉１に重なるように配置する必要が生じるから、該アーム３１及びハンドル３３の回動操作の角度は、これを、１／４円程度、本例にあっては該１／４円弱の８０度程度とすることが必要となる。
【００４６】
図７のその余は上記例と変わらないので同一符合を付して、重複する説明を省略する。
【００４７】
図示した例は以上のとおりとしたが、上記両開き一方の扉に代えて片開き扉を、上記両開き他方の扉に代えて上記片開き扉戸先側の支柱を用いて片開きの門扉とすること、この場合、上記両開き一方の扉を片開き扉と、両開き他方の扉を支柱と読み替えて打ち掛け錠の配置を行うようにすればよい。また、本例の打ち掛け錠は、自動施錠を可能とするから、門扉にオートクローザーを設置して、開成後に自動的な閉成と自動施錠を行うものとすることができる。
【００４８】
これらを含めて、本発明の実施に当って、両開き門扉、両開き一方の扉、両開き他方の扉、打ち掛け錠、錠掛け側アーム、ハンドル、錠受け側アーム受、ロック機構、トリガー、必要に応じて用いるクラッチ、ロックプレート、トリガーボックス、トリガー軸、トリガースプリング、錠掛け側アーム又はハンドルの回動軸、軸受、付勢用スプリング、片開き扉、支柱等の各具体的構造、材質、形状、これらの関係、これらに対する付加等は、上記発明の要旨に反しない限り様々な形態のものとすることができる。
【符号の説明】
【００４９】
Ａ  両開き門扉
１  両開き一方の扉
２  両開き他方の扉
３  打ち掛け錠
３１  錠掛け側アーム
３２  回動軸
３３  ハンドル
３４  連結軸
３５  錠受け側アーム受
３６  固定ハンドル
３７  台座
３８  シリンダー錠
３９  サムターン
４  軸受
４１  円形収容部
４２  径大部
４３  スプリングケース
４４  スプリング収容部
４５  連結突部
４６  座金
５  トリガーボックス
５１トリガーカバー
５２  ガイド
６  ロック機構
６１  クラッチ
６２  噛合部
６３  止め輪
６４  ロックプレート
６５  基板
６６  折曲片
６７  傾斜係合片
６８  舌片部
６９  噛合部
７  トリガー
７１  対接部
７２  ロックプレート作動部
７３  トリガー軸
７４  トリガースプリング
【図１】
2012067440.tif 000003
【図２】
2012067440.tif 000004
【図３】
2012067440.tif 000005
【図４】
2012067440.tif 000006
【図５】
2012067440.tif 000007
【図６】
2012067440.tif 000008
【図７】
2012067440.tif 000009